(57)【要約】【課題】利用者の位置に応じて有用な情報を利用者に配信する。【解決手段】配信要求情報受信部１１３は、配信要求情報を受信し、配信処理部１１４は、配信要求情報の位置情報種別が「０」であれば、配信要求情報の位置情報の周辺のサービス情報を読み出す。このとき、制限時間が現在時刻に近い制限時間付サービス情報も検索し、読み出したサービス情報を携帯端末２００に配信する。一方、配信要求情報の位置種別情報が「１」であれば、配信処理部１１４は、配信要求情報の位置情報の最寄駅と、利用者の所在地の最寄駅とを読み出し、経路探索を用いて、乗継駅を探索する。そして、最寄駅と乗継駅の周辺をランドマークエリアとして、ランドマークエリアの周辺のサービス情報を携帯端末２００に配信する。【選択図】図１
2008009762.tif 000002
【特許請求の範囲】
【請求項１】
利用者が習慣的に移動する場所の位置情報を記憶する固定移動範囲記憶部と、
サービス提供者が提供するサービス情報と、前記サービスが提供される位置情報とを記憶するサービス情報記憶部と、
利用者が操作する携帯端末から、前記利用者の現在の位置情報ないしは前記利用者から指定された場所の位置情報を取得する位置情報取得部と、
前記位置情報取得部が取得した位置情報が利用者の現在の位置情報であるとき、前記利用者の周辺で提供されるサービス情報を、前記サービス情報記憶部から選択し、前記位置情報取得部が取得した位置情報が利用者に指定されたエリアの位置情報であるとき、前記利用者が習慣的に移動する場所の位置情報と前記指定された場所の位置情報との間で提供されるサービス情報を、前記サービス情報記憶部から選択する提供情報選択部と、
前記提供情報選択部が選択したサービス情報を前記携帯端末に送信する送信部と、
を備えることを特徴とする情報配信装置。
【請求項２】
前記位置情報取得部が取得した利用者の位置情報を含むエリアを、行動履歴記憶部に記憶させる行動履歴管理部を備えること
を特徴とする請求項１記載の情報配信装置。
【請求項３】
前記サービス情報記憶部は、サービス情報として限定した時間に提供される制限時間付サービス情報を記憶し、
前記提供情報選択部は、前記位置情報取得部が取得した位置情報が利用者の現在の位置情報であるとき、前記位置情報を取得した時間に対応する制限時間付サービスを選択すること
を特徴とする請求項１記載の情報配信装置。
【請求項４】
前記サービス情報記憶部は、各サービスを詳細に説明する詳細情報と各サービスを簡易的に説明する簡易情報とを記憶し、
前記提供情報選択部は、前記位置情報取得部が取得した位置情報が、前記行動履歴記憶部に記憶したエリアに含まれる場合、簡易情報を前記サービス情報記憶部から読み出し、前記位置情報取得部が取得した位置情報が、前記履歴記憶部に記憶したエリアに含まれない場合、詳細情報を前記サービス情報記憶部から読み出すこと
を特徴とする請求項２記載の情報配信装置。
【請求項５】
利用者の携帯端末にサービス情報を配信するコンピュータが、
利用者が操作する携帯端末から、前記利用者の現在の位置情報ないしは前記利用者が指定したエリアの位置情報を取得する処理、
前記取得した位置情報が前記利用者の現在の位置情報であれば、前記利用者の周辺で提供されるサービス情報をサービス情報記憶部から読み出し、前記取得した位置情報が前記利用者に指定された場所の位置情報であれば、前記利用者が習慣的に移動する場所の位置情報と前記指定された場所の位置情報との間のエリアで提供されるサービス情報を読み出す処理、
前記読み出したサービス情報を前記携帯端末に送信する処理
を実行することを特徴とする情報配信方法。
【請求項６】
携帯端末にサービス情報を配信するコンピュータに、
利用者が操作する携帯端末から、前記利用者の現在の位置情報ないしは前記利用者が指定したエリアの位置情報を取得するステップと、
前記取得した位置情報が前記利用者の現在の位置情報であれば、前記利用者の周辺で提供されるサービス情報をサービス情報記憶部から読み出し、前記取得した位置情報が前記利用者に指定された場所の位置情報であれば、前記利用者が習慣的に移動する場所の位置情報と前記指定された場所の位置情報との間のエリアで提供されるサービス情報を読み出すステップと、
前記読み出したサービス情報を前記携帯端末に送信するステップと
を実行させる情報配信プログラム。
【発明の詳細な説明】
【技術分野】
【０００１】
本発明は、情報配信装置、情報配信方法、情報配信プログラムに関する。
【背景技術】
【０００２】
携帯端末へサーバ等から広告を含むデジタルコンテンツが配信される技術が提案されている。例えば、情報配信システムに関し、特に利用者が欲しい情報だけを配信し、情報配信者が効率的な情報配信を行なえるようにシステムを実現するという目的の下、位置情報に対応した環境情報と地図情報を収集する地域情報収集モジュールと、利用者の個人情報を登録する個人情報登録モジュールと、利用者の位置情報と行動内容から行動履歴を生成する行動履歴収集モジュールと、行動履歴を解析して行動パターンを抽出する行動パターン解析モジュールと、利用者の情報配信要求に対し、利用者の位置情報と、該位置情報に対応する環境情報と、行動パターンと、配信対象条件とを用いて利用者に配信する情報を判断し、判断結果の配信情報を利用者に配信する配信処理モジュールと、各モジュールで取り扱う情報を管理する情報蓄積部とを備えた情報配信システム（特許文献１参照）が提案されている。
【特許文献１】特開２００２−３４２３６７号公報
【発明の開示】
【発明が解決しようとする課題】
【０００３】
特許文献１記載の情報配信システムは、利用者の環境、行動パターン、個人情報などを基に状況や嗜好に適した情報を配信することを特徴としている。例えば、店舗や施設のサービス情報を配信する場合、利用者の嗜好に合った店舗や施設の情報を必要な時間に配信することができる。しかしながら、店舗や施設の状況は、刻々と変化しており、ある時間に有用な情報であっても、時間が経過すると。無用な情報に変化することがある。
【０００４】
そこで本発明は上記課題を鑑みてなされたものであり、利用者の位置に応じて、有用な情報を利用者に配信する情報配信システム、情報配信方法、情報配信プログラムを提供することを主たる目的とする。
【課題を解決するための手段】
【０００５】
本発明では、利用者の携帯端末から送信される位置情報の種類に応じた情報配信に関する処理を実行するものである。本発明には、位置情報がいわゆるＧＰＳ情報であるか否かで、処理を変えることが含まれる。さらに、位置情報の種類に応じて、配信する情報の種別を変更することや配信すべき情報の検索方法や手法を変更することが含まれる。また、本発明には、以下の態様も含まれる。
【０００６】
上記課題を解決する本発明の情報配信装置は、利用者が習慣的に移動する場所の位置情報を記憶する固定移動範囲記憶部と、前記サービス提供者が提供するサービス情報と、前記サービスが提供される位置情報とを記憶するサービス情報記憶部と、利用者が操作する携帯端末から、前記利用者の現在の位置情報ないしは前記利用者から指定されたエリアの位置情報を取得する位置情報取得部と、前記位置情報取得部が取得した位置情報が利用者の現在の位置情報であるとき、前記利用者の周辺で提供されるサービス情報を、前記サービス情報記憶部から選択し、前記位置情報取得部が取得した位置情報が利用者に指定されたエリアの位置情報であるとき、前記利用者が習慣的に移動する場所の位置情報と前記指定されたエリアの位置情報との間で提供されるサービス情報を、前記サービス情報記憶部から選択する提供情報選択部と、前記提供情報選択部が選択したサービス情報を前記携帯端末に送信する送信部と、を備える。
【０００７】
また、本発明の情報配信方法は、利用者の携帯端末にサービス情報を配信するコンピュータが、利用者が操作する携帯端末から、前記利用者の現在の位置情報ないしは前記利用者が指定したエリアの位置情報を取得する処理、前記取得した位置情報が前記利用者の現在の位置情報であれば、前記利用者の周辺で提供されるサービス情報をサービス情報記憶部から読み出し、前記取得した位置情報が前記利用者に指定されたエリアの位置情報であれば、前記利用者が習慣的に移動する場所の位置情報と前記指定されたエリアの位置情報との間のエリアで提供されるサービス情報を読み出す処理、前記読み出したサービス情報を前記携帯端末に送信する処理を実行することを特徴とする。
【０００８】
また、本発明の情報配信プログラムは、携帯端末にサービス情報を配信するコンピュータに、利用者が操作する携帯端末から、前記利用者の現在の位置情報ないしは前記利用者が指定したエリアの位置情報を取得するステップと、前記取得した位置情報が前記利用者の現在の位置情報であれば、前記利用者の周辺で提供されるサービス情報をサービス情報記憶部から読み出し、前記取得した位置情報が前記利用者に指定されたエリアの位置情報であれば、前記利用者が習慣的に移動する場所の位置情報と前記指定されたエリアの位置情報との間のエリアで提供されるサービス情報を読み出すステップと、前記読み出したサービス情報を前記携帯端末に送信するステップを含むことを特徴とする。
【発明の効果】
【０００９】
本発明によれば、利用者の位置に応じて有用な情報を利用者に配信することが可能となる。
【発明を実施するための最良の形態】
【００１０】
＝＝＝システム構成＝＝＝
以下に本発明の実施形態について図面を用いて詳細に説明する。図１は本実施形態における情報配信システム１００を含むネットワーク構成図である。図１に示す情報配信システム１００は、一例として、本発明を実現する機能部１１０〜１１４を備えてプログラムの実行処理を主として担うアプリケーションサーバ２０と、各種データベース１２２〜１２６およびＤＢＭＳ１２１（Ｄａｔａｂａｓｅ  Ｍａｎａｇｅｍｅｎｔ  Ｓｙｓｔｅｍ）を備えたデータベースサーバ２５とから構成されるものを想定する。なお、これらアプリケーションサーバ２０とデータベースサーバ２５とが一体となっていてもよい。
【００１１】
また、以下の説明において、ＣＰＵ１０４、メモリ１０３、入出力インターフェイス１０５、通信部１０６、Ｉ／Ｏ部１０７、など機能的に同様のものについては、前記アプリケーションサーバ２０とデータベースサーバ２５とで同じ符号を付している。
【００１２】
更に、前記アプリケーションサーバ２０とデータベースサーバ２５とが協働し、本発明における情報配信システム１００としての処理を行うとして以下説明する。
【００１３】
本発明の情報配信システム１００は、本発明のデジタルコンテンツ配信方法を実行する機能を実現すべく書き換え可能メモリなどのプログラムデータベース１０１に格納されたプログラム１０２をメモリ１０３に読み出し、演算装置たるＣＰＵ１０４により実行する。
【００１４】
また、前記情報配信システム１００は、コンピュータ装置が一般に備えている各種キーボードやボタン類、ディスプレイなどの入出力インターフェイス１０５、ならびに、携帯端末２００などとの間のデータ授受を担う通信部１０６などを有している。
【００１５】
前記情報配信システム１００は、前記通信部１０６により、前記携帯端末２００らと例えばインターネットやＬＡＮ、シリアル・インターフェース通信線などのネットワーク１４０を介して接続し、データ授受を実行する。情報配信システム１００の各種機能部と通信部１０６との間ではＩ／Ｏ部１０７がデータのバッファリングや各種仲介処理を実行している。
【００１６】
続いて、前記情報配信システム１００が、例えばプログラム１０２に基づき構成・保持する機能部につき説明を行う。なお、前記情報配信システム１００は、ユーザデータベース１２２、固定移動範囲データベース１２３、サービス情報データベース１２４、地図データベース１２５、行動履歴データベース１２６を利用可能であるものとする。
【００１７】
ユーザ情報登録部１１０は、各携帯端末２００の利用者の属性情報をユーザデータベース１２２に登録する。属性情報には、利用者ＩＤ、年齢、性別、自宅の住所、職場の住所などがある。
【００１８】
ユーザ情報登録部１１０は、利用者の自宅、職場など利用者が習慣的に移動する場所の位置情報を固定行動範囲データベース１２３に登録する。またユーザ情報登録部１１０は、利用者の自宅、職場など利用者が習慣的に移動する場所の最寄駅を選択して固定移動範囲データベース１２３に登録する。
【００１９】
行動履歴管理部１１１は、各携帯端末２００のＧＰＳ装置１５０などで測定した利用者の位置情報を受信すると、受信した位置情報を含む新規登録エリアを行動履歴データベース１２６に既に登録されたエリアに加える。行動履歴データベース１２６に登録されたエリアをユーザエリアと呼ぶ。
【００２０】
また、行動履歴管理部１１１は、位置情報を受信した日時を、曜日、季節に変換して行動履歴データベース１２６に記憶させる。さらに、行動履歴管理部１１１は、受信した日時を所定の時間帯に割り振る。時間帯とは、例えば、午前、午後、夕方、夜間、深夜など、生活リズムに合わせた区分とする。
【００２１】
サービス情報取得部１１２は、施設や店舗の端末から利用者に提供するサービス情報を取得し、サービス情報データベース１２４に登録する。サービス情報には、通常のサービス情報と制限時間付サービス情報とがある。制限時間付サービス情報の例としては、タイムサービスなどがある。また、本実施の形態では、映画館や飲食店の空席情報も制限時間付サービス情報に含む。
【００２２】
配信要求情報受信部１１３は、携帯端末２００に、配信要求情報の入力を受け付ける配信要求受付プログラムを送信する。配信要求受付プログラムを受信した携帯端末２００は、例えば、図２（ａ）に示すような、情報の選択画面を表示する。利用者が、選択画面を操作して、現在いる場所の周囲のサービス情報を選択した場合、携帯端末２００は、ＧＰＳ装置１５０から現在の位置情報を取得して配信要求情報を作成する。
【００２３】
また、利用者がランドマークの周囲のサービス情報を選択すると、携帯端末２００は、図２（ｂ）に示すような、ランドマークの選択画面を送信する。ランドマークの選択画面は、例えば、「渋谷・新宿・池袋」などの大分類と、「渋谷駅・代々木体育館・原宿駅・・・」などの各ランドマークとのツリー状になっており、大分類で絞込みを行なうことができる。配信希望送信部は、利用者からランドマークが選択されると、選択されたランドマークの位置情報から配信要求情報を作成する。
【００２４】
図３は、配信要求情報の一例である。配信要求情報は、図３に示すように、携帯端末ユーザＩＤと、位置情報と、位置情報の取得元を示す位置情報種別とを含む。位置情報種別が「０」の場合、ＧＰＳ装置１５０から位置情報を取得したことを示し、位置情報種別が「１」の場合、利用者から指定されたランドマークの位置情報であることを示す。なお、携帯端末ユーザＩＤとは、ユーザを識別するものであり、情報配信システム１００が独自に割り振ったＩＤでもよいし、携帯電話機の固有ＩＤや電話番号でもよい。
【００２５】
配信処理部１１４は、配信要求情報に対応して、サービス情報と地図データを配信する。配信要求情報には、利用者の現在の位置情報ないしは利用者から指定されたランドマークの位置情報の何れかが含まれる。配信処理部１１４は、配信要求情報として、利用者の現在の位置情報を受信した場合、利用者の周辺の地図情報と利用者の周辺のサービス情報を携帯端末２００に配信する。ここで、利用者の周辺のエリアとは、例えば、図４に示すように、ＧＰＳで取得した位置情報を中心として緯度±１分、経度±１分の座標を頂点とする四角形とする。配信処理部１１４は、この四角形に含まれる店舗や施設のサービス情報を読み出す。周辺のエリアは、位置情報を中心とした円などでもよい、また、緯度経度の大きさも１分には限定されない。
【００２６】
一方、利用者から指定されたランドマークの位置情報を受信した場合、自宅や職場など利用者の所在地と利用者から指定されたランドマークとの間をランドマークエリアとして、ランドマークエリア内に存在する店舗や施設のサービス情報を携帯端末２００に配信する。
【００２７】
ところで、公共交通機関が発達した地域では、移動手段として、電車やバスなどの公共交通機関がよく利用される。公共交通機関を利用すると、駅や停留所で乗り降りするため、その間のエリアに立ち寄ることがない。本実施の形態の配信処理部１１４は、これを考慮し、経路探索を用いて利用者の所在地の最寄駅とランドマークの最寄駅とその間の乗継駅とを探索し、最寄駅と乗継駅の周辺をランドマークエリアとする。なお、自動車で移動することが多い区域や利用者に対しては、道路探索を行い、利用者が移動する道路の周辺をランドマークエリアとしてもよい。
【００２８】
最寄駅の周辺のランドマークエリアは、例えば、図５に示すように、位置情報を中心として経度±１分、経度±１分の座標を頂点とする四角形とする。なお、経度や緯度の大きさは１分でなくともよく、図形も四角形でなくともよいことは勿論である。ランドマークエリアの他の設定方法は、図１７〜図２０で後述する。
【００２９】
また、配信処理部１１４は、携帯端末２００に配信する地図情報の種別を切り替える。具体的に説明すると、配信処理部１１４は、利用者の現在の位置情報ないしはランドマークエリアがユーザエリアに含まれる場合、利用者がよく来る場所であると判断して、エリアの周辺の略地図を携帯端末２００に配信する。一方、利用者の現在の位置情報ないしはランドマークエリアがユーザエリアに含まれない場合、配信処理部１１４は、利用者が初めてきた場所であると判断して、エリアの周辺の詳細地図を携帯端末２００に配信する。また、配信処理部１１４は、略地図と詳細地図の代わりに、小さな縮尺の地図データと大きな縮尺の地図データを配信するようにしてもよい。
【００３０】
配信処理部１１４は、配信する地図データ上にサービス情報１１６０に掲載されたサービスを提供する店舗や施設のアイコン１１７０を表示して携帯端末２００に配信する。前記配信処理部１１４は、所定範囲の所在地にまとまって存在する施設群について各施設のサービス情報１１６０の取得要求コマンドが対応付けされた１つの代表アイコン１１７５を、前記地図データ１１５０における前記所在地上に表示されるよう携帯端末２００に配信するものとすれば好適である。
【００３１】
また、配信処理部１１４は、携帯端末２００ディスプレイ２５０上のカーソルの一定方向への一定時間の移動指示を携帯端末２００より受け付けて、前記地図データ１１５０上に複数配置された各アイコン１１７０への選択表示を前記一定方向へ一定時間連続移動させるプログラム１１５１を備えた地図データ１１５０を、前記配信処理部１１４が携帯端末２００に配信する。
【００３２】
＝＝＝携帯端末２００＝＝＝
一方、本発明の携帯端末２００は、書き換え可能メモリなどのプログラムデータベース２０１に格納されたプログラム２０２をメモリ２０３に読み出し、演算装置たるＣＰＵ２０４により実行する。また、前記携帯端末２００は、コンピュータ装置が一般に備えている各種キーボードやボタン類、ディスプレイ２５０などの入出力インターフェイス２０５、ならびに、情報配信システム１００との間のデータ授受を担う通信部２０６などを有している。
【００３３】
前記携帯端末２００は、前記通信部２０６により、前記情報配信システム１００らと例えばインターネットやＬＡＮ、シリアル・インターフェース通信線などのネットワーク１４０を介して接続し、データ授受を実行する。携帯端末２００の各種機能部と通信部２０６との間ではＩ／Ｏ部２０７がデータのバッファリングや各種仲介処理を実行している。
【００３４】
続いて、携帯端末２００が、例えばプログラム２０２に基づき構成・保持する機能部につき説明を行う。前記携帯端末２００は、配信要求情報を、情報配信システム１００に送信する、配信希望送信部２１０を備える。
【００３５】
配信希望送信部２１０は、情報配信システム１００からサービス情報の配信要求受付プログラムをダウンロードし、選択画面を出力インターフェイス２０５に表示させる。そして、配信希望送信部２１０は、ダウンロードした選択画面への利用者からの入力内容およびＧＰＳ装置１５０が測定した利用者の位置情報を情報配信システム１００に送信する。配信要求受付プログラムは、携帯端末２００に記憶してもよい。
【００３６】
また、携帯端末２００は、情報配信システム１００が送信してきた、地図データ及びサービス情報を受信し、出力インターフェイス２０５に表示する、受信処理部２１１を備える。
【００３７】
また、前記携帯端末２００は、地図データを表示した際、携帯端末２００ディスプレイ２５０上のカーソルの一定方向への一定時間の移動指示を入力インターフェイスより受け付けて、前記地図データ１１５０上に複数配置された各アイコン１１７０への選択表示を前記一定方向へ一定時間連続移動させる、選択移動処理部２１２を備える。なお、上述したが、このアイコン１１７０の一定方向への一定時間連続移動の処理機能は、携帯端末２００の備える前記選択移動処理部２１２で実現する例だけでなく、前記地図データ１１５０が前記プログラム１１５１を備えることで実現する例も想定できる。
【００３８】
また、前記携帯端末２００は、前記情報配信システム１００より配信された地図データ１１５０を、携帯端末２００ディスプレイ２５０の一端２５１から他端２５２まで前記地図データ１１５０をスクロールさせる、スクロール速度制御部２１３を備えることとすれば好適である。
【００３９】
また、本実施形態における携帯端末２００は、情報配信システム１００がＷｅｂサーバであって、ｈｔｔｐリクエスト／レスポンスに基づくデータ通信を行うと想定し、前記情報配信システム１００にアクセスするＷｅｂブラウザ２１５を備えている。このＷｅｂブラウザ２１５により、デジタルコンテンツ１１００等の携帯端末２００ディスプレイ２５０への出力を担うことができる。
【００４０】
＝＝＝施設・店舗に備えられた端末３００＝＝＝
一方、前記サービス情報１１６０の訴求対象となる店舗等の施設の端末３００は、書き換え可能メモリなどのプログラムデータベース３０１に格納されたプログラム３０２をメモリ３０３に読み出し、演算装置たるＣＰＵ３０４により実行する。また、前記端末３００は、コンピュータ装置が一般に備えている各種キーボードやボタン類、ディスプレイなどの入出力インターフェイス３０５、ならびに、情報配信システム１００との間のデータ授受を担う通信部３０６などを有している。
【００４１】
前記端末３００は、前記通信部３０６により、前記情報配信システム１００らと例えばインターネットやＬＡＮ、シリアル・インターフェース通信線などのネットワーク１４０を介して接続し、データ授受を実行する。端末３００の各種機能部と通信部３０６との間ではＩ／Ｏ部３０７がデータのバッファリングや各種仲介処理を実行している。
【００４２】
サービス情報送信部３１０は、店舗や施設が提供するサービス情報を送信する。サービス情報は、例えば、店舗や施設の従業員などが入力する。サービス情報には、制限時間付サービス情報と通常サービス情報とがある。制限時間付サービス情報の例としては、一定時間だけ商品の価格を下げるタイムサービスや利用者の少ない時間帯の料金を下げるサービスなどがある。また、制限時間付サービスとして、映画館や飲食店の空席情報も含む。
【００４３】
また、前記端末３００は、前記情報配信システム１００がＷｅｂサーバであって、ｈｔｔｐリクエスト／レスポンスに基づくデータ通信を行うと想定し、前記情報配信システム１００にアクセスするＷｅｂブラウザ３１１を備えている。このＷｅｂブラウザ３１１により、差込広告の対象となるサービス情報１１６０の選択や、サービス情報１１６０の登録審査要求等に伴う各種データ出力を担うことができる。
【００４４】
＝＝＝データベース構造＝＝＝
図６は、ユーザデータベース１２２の構成例である。ユーザデータベース１２２は、図６に示すように、利用者ＩＤ欄、性別欄、年齢欄、自宅の住所欄、職場の住所欄を備えている。
【００４５】
図７は、固定移動範囲データベース１２３の構成例である。固定移動範囲データベース１２３は、図７に示すように、利用者ＩＤ、利用者の自宅の位置情報欄、職場の位置情報欄、自宅の最寄駅、職場の最寄駅を備えている。
【００４６】
図８は、サービス情報データベース１２４の構成例である。サービス情報データベース１２４は、図８に示すように、サービスを提供する店舗ないしは施設の提供者ＩＤ欄、店舗なしは施設の提供者名称欄、サービス内容欄、制限時間欄、エリア情報欄、店舗ないしは施設の位置情報を備えている。制限時間欄は、制限時間付サービスを提供する時間を格納する。提供種別欄は、ＧＰＳ機能を利用して利用者の現在の位置情報を取得したときに提供する情報か、利用者から指定された位置情報を取得するときに提供する情報かを区分するためのフラグを格納する。エリア種別欄は、店舗ないしは施設が存在するエリアを特定するための情報を格納する。本実施の形態では、エリア情報として最寄駅を格納する。
【００４７】
図９は、行動履歴データベース１２６の構成例である。行動履歴データベース１２６は、図９に示すように、利用者ＩＤ欄、ＧＰＳなどで計測した利用者の過去の位置情報欄、その位置の周囲のユーザエリア欄、位置情報を受信した日時欄、曜日欄、季節欄、時間帯欄を備える。ユーザエリアの管理については図１５、図１６で後述する。
【００４８】
＝＝＝情報配信システムの動作＝＝＝
図１０は、情報配信システムの動作を説明するフローチャートである。まず、サービス情報の登録を行なう。店舗や施設の従業員は、端末を操作して、サービス情報を情報配信システムに送信する（ステップＳ１１）。サービス情報には、タイムサービスのような制限時間付サービス情報や空席情報など即時性を要するサービス情報も含まれる。図１１は、サービス情報のデータ構造の一例を示す。サービス情報は、図１１に示すように、サービスの提供者の提供者ＩＤ、店舗や施設のエリア種別（最寄駅）、サービス内容、制限時間情報を含む。情報配信システムは、取得したサービス情報をサービス情報データベース１２４に登録する（ステップＳ１２）。携帯端末２００は、情報配信システムに配信要求情報を送信する（ステップＳ１３）。配信要求情報は、図３に示したように、携帯端末ユーザＩＤと、位置情報の座標、位置情報種別を含む。位置情報種別が「１」の場合、利用者から指定されたランドマークの位置情報であり、位置情報が「０」の場合、ＧＰＳで取得した利用者の現在の位置情報であることを意味する。
【００４９】
情報配信システムは、図１２の位置情報表を参照して、配信要求情報として取得した位置情報に対応する最寄駅を特定する（ステップＳ１４）。
【００５０】
位置情報種別が「０」のとき（ステップＳ１５；ＹＥＳ）、情報配信システムは、ステップＳ１４で特定した最寄駅の周辺の店舗や施設のサービス情報をサービス情報データベース１２４から読み出す（ステップＳ１６）。
【００５１】
位置情報種別が「１」のとき、すなわち、取得した位置情報がＧＰＳなどで計測した利用者の位置情報であれば（ステップＳ１５；ＮＯ）、情報配信システムは、固定行動範囲データベースから、現在の時間、曜日にあったユーザの所在地（自宅、職場）を選択し（ステップＳ１７）、利用者の所在地の最寄駅を読み出す（ステップＳ１８）。情報配信システムは、ステップＳ１４で特定した位置情報の最寄駅と、利用者の所在地の最寄駅との間の経路検索を行い、乗継駅を検索する（ステップＳ１９）。次いで、情報配信システムは、最寄駅と乗継駅の周辺をランドマークエリアとして、ランドマークエリア内の店舗や施設のサービス情報をサービス情報データベース１２４から読み出す（ステップＳ２０）。
【００５２】
次いで、情報配信システムは、利用者の現在の位置情報が利用者のユーザエリアに含まれるか否かにより地図データの選択を行なう（ステップＳ２１）。ステップＳ２１における地図データ、及びステップ２２におけるサービス情報の選択処理については、図１３を参照して後に詳述する。
【００５３】
情報配信システムは、サービス情報データベース１２４から店舗や施設の位置情報を読み出し、ステップＳ２１で選択した地図データ上に店舗や施設の位置を示すアイコンを付加する（ステップＳ２２）。情報配信システムは、ステップＳ１６ないしはステップＳ２０で読み出したサービス情報と、ステップＳ２２で作成した地図データとを携帯端末２００に配信する（ステップＳ２３）。
【００５４】
＝＝＝地図データの選択処理＝＝＝
図１３は地図データの選択処理を説明するフローチャートであり、図１４は選択条件の組合せを決定する選択条件テーブルである。特に、図１４（ａ）は略地図と詳細地図とを選択するためのテーブルであり、図１４（ｂ）は略地図と詳細地図の代わりに、縮尺の小さい地図と大きい地図とを選択するためのテーブルである。
【００５５】
配信処理部１１４は、配信要求情報の位置情報種別が「１」の場合、すなわち、取得した位置情報がＧＰＳなどで計測した利用者の位置情報であれば（ステップＳ３１；ＹＥＳ）、利用者が位置情報の近くにいると判断して、サービス情報データベース１２４から、位置情報の周辺のエリアのサービス情報を検索する。また、位置情報種別が「１」であれば、位置情報の周辺のエリアの店舗ないしは施設に直ぐ到着できると判断して、制限時間が現在時刻に近い制限時間付サービス情報も検索する（ステップＳ３２）。
【００５６】
次いで、配信処理部１１４は、位置情報がユーザエリアに含まれるか否かを判断する。そして、位置情報がユーザエリアに含まれる場合（ステップＳ３３；ＹＥＳ）、配信処理部１１４は、利用者がこの位置情報の周辺のエリアに来たことがあると判断し、地図データベース１２５から位置情報の周辺の略地図を読み出し（ステップＳ３４）、ステップＳ３２で読み出したサービス情報と略地図とを携帯端末２００に配信する（ステップＳ３５）。
【００５７】
一方、ステップＳ３３において、位置情報がユーザエリアに含まれない場合（ステップＳ３３；ＮＯ）、配信処理部１１４は、位置情報の周辺のエリアは利用者が初めて来たエリアであると判断し、地図データベース１２５から詳細地図を読み出し（ステップＳ３６）、ステップＳ３６で読み出したサービス情報と詳細地図とを携帯端末２００に配信する（ステップＳ３７）。
【００５８】
また、ステップＳ３１において、位置情報種別が「０」のとき（ステップＳ３１；ＮＯ）、配信処理部１１４は、利用者が指定した位置情報に向かうところであると判断し、利用者の所在地の最寄駅、位置情報の周辺の最寄駅、および乗継駅の周辺のサービス情報を読み出す（ステップＳ３８）。
【００５９】
次いで、配信処理部１１４は、位置情報がユーザエリアに含まれるか否かを判断する。そして、位置情報がユーザエリアに含まれる場合（ステップＳ３９；ＹＥＳ）、配信処理部１１４は、利用者がこの位置情報の周辺のエリアに来たことがあると判断し、地図データベース１２５から最寄駅、および乗継駅の周辺の略地図を読み出し（ステップＳ４０）、ステップＳ３８で読み出したサービス情報と略地図とを携帯端末２００に配信する（ステップＳ４１）。
【００６０】
一方、ステップＳ３９において、位置情報がユーザエリアに含まれない場合（ステップＳ３９；ＮＯ）、配信処理部１１４は、位置情報の周辺のエリアは利用者が初めて来たエリアであると判断し、利用者の所在地の最寄駅、位置情報の周辺の最寄駅、および乗継駅の周辺の詳細地図を地図データベース１２５から読み出し（ステップＳ４２）、ステップＳ３８で読み出したサービス情報と詳細地図とを携帯端末２００に配信する（ステップＳ４３）。
【００６１】
＝＝＝ユーザエリア管理方法＝＝＝
次いで、図１５、図１６を参照してユーザエリアの管理方法を説明する。図１５は、利用者の過去の位置情報の周辺のエリアを加算したエリアをユーザエリアとした例である。行動履歴管理部１１１は、携帯端末２００から利用者の位置情報を取得すると、この位置情報の周囲のエリア、例えば、位置情報を中心として緯度±１分、経度±１分のエリアを新規登録エリアとする。そして、行動履歴データベース１２６に既に登録されたユーザエリアに新規登録エリアを加えてユーザエリアを更新する。四角形の新規登録エリアを次々と加えると、図１５に示すように、多角形のユーザエリアが構成される。行動履歴管理部１１１は、新規登録エリアとともに、位置情報を取得した日時を行動履歴データベース１２６に登録する。行動履歴管理部１１１は、所定期間、例えば、登録から１年経過した新規登録エリアを行動履歴データベース１２６から削除しユーザエリアの更新を行なう。
【００６２】
図１６の例では、地図データが予め格子状のブロックに区切られている。そして、行動履歴管理部１１１は、利用者の位置情報を含むブロックを行動履歴データベース１２６に登録する。このように、次々とブロックを登録すると、図１６に示すように、登録されたブロックの集合からなるユーザエリアが構成される。行動履歴管理部１１１は、ブロックとともに、位置情報を取得した日時を行動履歴データベース１２６に登録する。行動履歴管理部１１１は、所定期間、例えば、登録から１年経過したブロックを行動履歴データベース１２６から削除しユーザエリアの更新を行なう。
【００６３】
＝＝＝ランドマークエリアの設定方法＝＝＝
次いで、ユーザエリアの管理方法とランドマークエリアの設定方法の他の例を説明する。図１７の例では、ランドマークが３つ以上指定された場合、ランドマークを結ぶ線の内側をランドマークエリアに設定している。また、図１７のでは、ランドマークが３つ以上指定されていなくとも固定移動範囲データベース１２３から利用者の自宅や職場の最寄駅を読み出し、指定されたランドマークと結んでランドマークエリアを設定してもよい。
【００６４】
また、図１７の例では、ユーザエリアの管理方法にも特徴がある。図１７の例において、行動履歴登録部１１１は、ＧＰＳなどで計測した利用者の位置情報に近いランドマークを行動履歴データベース１２６に登録し、登録したランドマークを結ぶ線の内側をユーザエリアとする。図１７の例では、ランドマークエリアとして、「品川駅・川崎駅・自由が丘駅」を結ぶ線の内側が設定されている。また、ユーザエリアとして、「大井町駅・大森駅・自由が丘駅」を結ぶ線の内側が設定されている。配信処理部１１４は、ランドマークエリアないしはユーザエリアであればサービス情報の配信対象とする。図１７では、配信対象の店舗ないしは施設の位置を白抜きの星印、非配信対象の店舗および施設の位置を塗りつぶした星印で表している。
【００６５】
図１８の例では、ランドマークが２つ以上指定された場合、指定されたランドマークの経度の最大値、最小値、および、緯度の最大値、最小値を結ぶ線の内側をランドマークエリアに設定している。また、ランドマークエリアが２つ以上指定されていなくとも固定移動範囲データベース１２３から利用者の自宅や職場の最寄駅を読み出し、読み出した最寄駅と指定されたランドマークの経度の最大値、最小値、および、緯度の最大値、最小値を結ぶ線の内側をランドマークエリアに設定している。
【００６６】
また、図１８の例では、ユーザエリアの管理方法にも特徴がある。図１８の例において、行動履歴管理部１１１は、ＧＰＳなどで計測した利用者の位置情報に近いランドマークを行動履歴データベース１２６に登録し、登録したランドマークの経度の最大値、最小値、および、緯度の最大値、最小値を結ぶ線の内側をユーザエリアとする。
【００６７】
図１９の例では、ランドマークエリアを中心として、所定の半径、例えば、５００ｍのエリアをランドマークエリアとしている。また、図１９の例では、ユーザエリアの管理方法にも特徴がある。図１９の例では、行動履歴管理部１１１は、利用者の位置情報を取得すると、取得した位置情報に近いランドマークを行動履歴データベース１２６に登録し、登録したランドマークを中心として所定の半径のエリアをユーザエリアとしている。図１９の例では、「品川駅・川崎駅」を中心としたランドマークエリアと、「大井町駅・大森駅・川崎駅」を中心としたユーザエリアが設定されている。
【００６８】
図２０の例では、ランドマークエリアを中心とした四角形をランドマークエリアとしている。また、図２０の例では、行動履歴管理部１１１は、利用者の位置情報を取得すると、取得した位置情報に近いランドマークを行動履歴データベース１２６に登録し、登録したランドマークを中心とした四角形をユーザエリアとしている。図２０の例では、「品川駅・川崎駅」を中心としたランドマークエリアと、「大井町駅・大森駅・川崎駅」を中心としたユーザエリアが設定されている。
【００６９】
以上、本発明の実施の形態について、その実施の形態に基づき具体的に説明したが、これに限定されるものではなく、その要旨を逸脱しない範囲で種々変更可能である。
【図面の簡単な説明】
【００７０】
【図１】本実施形態における情報配信システムを含むネットワーク構成図である。
【図２】配信要求情報の入力を受け付ける画面例である。
【図３】配信要求情報のデータ構造の一例を示す図である。
【図４】利用者の現在の位置情報の周辺のエリアの設定方法の一例を示す図である。
【図５】最寄駅の周辺のランドマークエリアの設定方法の一例を示す図である。
【図６】ユーザデータベースの構成例を示す図である。
【図７】固定移動範囲データベースの構成例を示す図である。
【図８】サービス情報データベースの構成例を示す図である。
【図９】行動履歴データベースの構成例を示す図である。
【図１０】情報配信システムの動作を説明するフローチャートである。
【図１１】サービス情報のデータ構造を示す図である。
【図１２】位置情報表の構成例を示す図である。
【図１３】地図データの選択処理を説明するフローチャートである。
【図１４】選択条件の組合せを説明する表である。
【図１５】ユーザエリアの管理方法を説明する図である。
【図１６】ユーザエリアの管理方法を説明する図である。
【図１７】ランドマークエリアの設定方法およびユーザエリアの管理方法を説明する図である。
【図１８】ランドマークエリアの設定方法およびユーザエリアの管理方法を説明する図である。
【図１９】ランドマークエリアの設定方法およびユーザエリアの管理方法を説明する図である。
【図２０】ランドマークエリアの設定方法およびユーザエリアの管理方法を説明する図である。
【符号の説明】
【００７１】
１  アプリケーションサーバ（ＡＰサーバ）
２  データベースサーバ（ＤＢサーバ）
１００  情報配信システム、システム
１０１、２０１、３０１  プログラムデータベース
１０２、２０２、３０２  プログラム
１０３、２０３、３０３  メモリ
１０４、２０４、３０４  ＣＰＵ
１０５、２０５、３０５  入出力インターフェイス
１０６、２０６、３０６  通信部
１０７、２０７、３０７  Ｉ／Ｏ部
１１０  ユーザ情報登録部
１１１  行動履歴管理部
１１２  サービス情報取得部
１１３  配信要求情報受信部
１１４  配信処理部
１２１  ＤＢＭＳ
１２２  ユーザデータベース
１２３  固定移動範囲データベース
１２４  サービス情報データベース
１２５  地図データベース
１２６  行動履歴データベース
１５０  ＧＰＳ装置
２００  携帯端末
２１０  配信希望送信部
２１１  受信処理部
３００  端末
３１０  サービス情報送信部
１１５０  地図データ
１１６０  サービス情報
１１７０  アイコン
１１７５  代表アイコン
【図１】
2008009762.tif 000003
【図２】
2008009762.tif 000004
【図３】
2008009762.tif 000005
【図４】
2008009762.tif 000006
【図５】
2008009762.tif 000007
【図６】
2008009762.tif 000008
【図７】
2008009762.tif 000009
【図８】
2008009762.tif 000010
【図９】
2008009762.tif 000011
【図１０】
2008009762.tif 000012
【図１１】
2008009762.tif 000013
【図１２】
2008009762.tif 000014
【図１３】
2008009762.tif 000015
【図１４】
2008009762.tif 000016
【図１５】
2008009762.tif 000017
【図１６】
2008009762.tif 000018
【図１７】
2008009762.tif 000019
【図１８】
2008009762.tif 000020
【図１９】
2008009762.tif 000021
【図２０】
2008009762.tif 000022